(57)【特許請求の範囲】
【請求項１】
筒状のケーシングの内周に嵌合され、中心軸を具備する内部部材を同ケーシングから水平方向に抜き出しあるいは同ケーシングに組み込むポンプの内部部材抜き出し、組み込み装置であって、上記中心軸の抜き出し方向とは反対側の軸端に連結される支持用軸スリーブと、同支持用軸スリーブを下方から支持するローラと、上記ケーシングに固定され、上記ローラの高さを調整して上記支持用軸スリーブ及び上記内部部材の中心軸を介して上記内部部材の軸心と上記ケーシングの内周の軸心とを一致せしめる調整手段と、上記内部部材を上記抜き出し側の部位で吊り下げる吊り具と、同吊り具を水平移動せしめる手段とを備えたことを特徴とするポンプの内部部材抜き出し、組み込み装置。
【請求項２】
筒状のケーシングの内周に嵌合され、中心軸を具備する内部部材を同ケーシングから水平方向に抜き出し、あるいは同ケーシングに組み込むにあたり、上記中心軸の上記抜き出し方向とは反対側の軸端に支持用軸スリーブを連結し、同支持用軸スリーブをロータ等の支持部材にて上下位置を調整可能に支持し、上記内部部材の上記抜き出し側の部位を吊り具にて吊り下げ、上記支持部材及び吊り具の上下動により上記内部部材及び中心軸の軸心位置を調整する工程を含むことを特徴とするポンプの内部部材抜き出し、組み込み方法。
【請求項３】
上記支持用軸スリーブを、上記内部部材の水平方向への抜き出しに従がい複数個順次繋ぎ合わせる工程を含む請求項２に記載のポンプの内部部材抜き出し、組み込み方法。
【発明の詳細な説明】
【０００１】
【発明の属する技術分野】
本発明は、二重ケーシングポンプ等、筒状のケーシングの内周にその軸心方向に組み込みあるいは抜き出し可能な内部部材を備えたポンプの内部部材抜き出し、組み込み装置及び抜き出し、組み込み方法に関する。
【０００２】
【従来の技術】
図３は二重ケーシング型ポンプにおける外部ケーシングからの内部部材即ちインターナルの抜き出し方法を示す説明図である。図３において１１は二重ケーシングポンプの外部ケーシング、１３は同ケーシング１１の内周１１ａに組み付けられるインターナル、１２は吸込カバー、１４は上記インターナル１３の中心に挿通される主軸である。
【０００３】
１７は上記主軸１４の軸方向に延設されたバーで、一端が上記インターナル１３の抜き出し側端面にボルト１７ａにより固定される。１６はレバー、１５はレバー支持金具であり、同レバー支持金具１５は一端が上記外部ケーシング１１の抜き出し側端面にボルト１５ａにて固定され、上記バー１７の下方に主軸１４の軸方向に延設されている。
【０００４】
上記レバー１６は中間部の支点１６ａを上記レバー支持金具１５の長手方向に所定間隔で複数個設けられた支持穴１５ｂに回動自在に支持され、先端部が上記バー１７の長手方向に所定間隔に設けられた円形状の切欠溝１７ｂに嵌合可能となっている。１８はモノレール、１８ａは同モノレール１８にワイヤロープ１８ｂを介して吊下されたフックである。
【０００５】
上記のような抜き出し装置を使用して外部ケーシング１１からインターナル１３を抜き出す際には、同インターナル１３に上記モノレール１８のフック１８ａにロープ１８ｃを吊下して、該ロープ１８ｃをインターナル１３の抜き出し側寄りの適所に巻き付け、上記モノレール１８に上記フック１８ａを介してインターナル１３を吊り下げる。
【０００６】
次いで上記レバー１６を、その支点１６ａをレバー支持金具１５の支持穴１５ｂの適当な位置の穴に挿入することによって、同支持穴１５ｂに支持し、レバー１６の先端を上記バー１７の切欠溝１７ｂの適所に嵌合する。そして図３の矢印ＺあるいはＷのようにレバー１６を回動する。
【０００７】
即ちレバー１６を図３のＺ矢方向に回動すると、該レバー１６の先端部が切欠溝１７ｂを押すことにより、バー１７が図３のＹ矢方向に移動し、これによってインターナル１３もＹ矢方向に移動して外部ケーシング１１から抜き出される。
【０００８】
上記インターナル１３を外部ケーシング１１に組み込む際には、上記抜き出し時とは逆に、レバー１６を図３のＷ矢方向に回動すれば、バー１７を介してインターナル１３は外部ケーシング１１内に挿入される。
【０００９】
【発明が解決しようとする課題】
図３に示されるような、従来の装置による二重ケーシングポンプのインターナル抜き出し、組み込み方法にあっては、ケーシング側のレバー支持金具１５を支点として、レバー１６を回動することによりインターナル１３の外部ケーシング１１からの抜き出し、組み込みを行うので、次のような問題点がある。
【００１０】
（１）インターナル１３の抜き出し（あるいは組み込み）の際、該インターナル１３の芯が傾斜し易いため、インターナル１３の外周と外部ケーシング１１の内周とが互いに傾斜した状態で摺接し易く、これによって上記摺接部に損傷が発生する。
【００１１】
（２）長尺で複雑形状のバー、レバー支持金具やレバー及びこれらの取付部材を必要とし、抜き出し、組み込み装置が高コストとなる。
【００１２】
従って本発明の第１の目的は二重ケーシングポンプ等の筒状のケーシングと内部部材との抜き出し、組み込み装置において、内部部材の抜き出し、組み込み時における両者の異常摺接を阻止し、これによる損傷の発生を防止することにある。
【００１３】
また第２の目的は、従来のものに較べて低コストの抜き出し、組み込み装置を提供することにある。
【００１４】
【課題を解決するための手段】
本発明は上記問題点を解決するもので、その要旨とする手段は、筒状のケーシングの内周に嵌合され、中心軸を具備する内部部材を同ケーシングから水平方向に抜き出しあるいは同ケーシングに組み込むポンプの内部部材抜き出し、組み込み装置であって、上記中心軸の抜き出し方向とは反対側の軸端に連結される支持用軸スリーブと、同支持用軸スリーブを下方から支持するローラと、上記ケーシングに固定され、上記ローラの高さを調整して上記支持用軸スリーブ及び上記内部部材の中心軸を介して上記内部部材の軸心と上記ケーシングの内周の軸心とを一致せしめる調整手段と、上記内部部材を上記抜き出し側の部位で吊り下げる吊り具と、同吊り具を水平移動せしめる手段とを備えたことにある。
【００１５】
また本発明は上記手段に係るポンプの内部部材の抜き出し、組み込み装置を使用する方法、即ち、筒状のケーシングの内周に嵌合され、中心軸を具備する内部部材を同ケーシングから水平方向に抜き出し、あるいは同ケーシングに組み込むにあたり、上記中心軸の上記抜き出し方向とは反対側の軸端に支持用軸スリーブを連結し、同軸スリーブをローラ等の支持部材にて上下位置を調整可能に支持し、上記内部部材の上記抜き出し側の部位を吊り具にて吊り下げ、上記支持部材及び吊り具の上下動により上記内部部材及び中心軸の軸心位置を調整する工程を含む。
【００１６】
尚、好ましくは、上記方法に、上記支持用軸スリーブを、上記内部部材の水平方向への抜き出しに従がい複数個順次繋ぎ合わせる工程を含む。
【００１７】
上記手段及び方法によれば、内部部材の中心軸に連結した支持用軸スリーブをローラで支え、調整手段によってローラの高さを調整するとともに、内部部材を抜き出し側で吊り下げた吊り具のロープ長さを調整することにより、内部部材及び中心軸の軸心とケーシング内周の軸心とを一致させて、内部部材及び中心軸をケーシングから抜き出す。また、上記内部部材のケーシングへの組み込み時には上記と逆の操作を行う。
【００１８】
これにより、内部部材の抜き出し時、あるいは組み込み時に、内部部材とケーシング内周との軸心のずれや内部部材の傾斜による両部材の異常接触発生、及びこれによって引き起される内部部材とケーシングとの嵌合部の損傷の発生が未然に防止される。
【００１９】
【発明の実施の形態】
以下図１〜図２を参照して本発明の実施形態につき詳細に説明する。図１及び図２は本発明の実施形態に係る二重ケーシングポンプの外側ケーシングとインターナルとの抜き出し、組み込み要領を作業の進行に沿って示した説明図である。図１〜図２において、１１は二重ケーシングポンプの外部ケーシング、１３は同ケーシングの内周１１ａに組み付けられるインターナル、１２は吸込カバー、１４は上記インターナル１３の中心に挿通される主軸、１９はポンプの駆動機（図示省略）の駆動機軸である。
【００２０】
上記主軸１４には、駆動機軸１９の軸端への継手側から複数の支持用（以下軸スリーブと略称する）軸スリーブ１，２，３が嵌装され、さらに、先端側の軸スリーブ３には、軸スリーブ４及び５が連設されている。上記軸スリーブ１，２，３，４，５の軸心は、上記主軸１４の軸心と正しく一致せしめられている。
【００２１】
６は、ローラであり、上記各軸スリーブ１，２，３，４，５を下方から挿むように２個設けられ、各軸スリーブ１，２，３，４，５を下方から支えるようになっている。７はローラ受台で上記１対のローラ６を回転自在に支持している。８は固定台であり、ボルト２１により吸込カバー１２及び外部ケーシング１１に固定されている。上記工程台８の上部には、調整ボルト９がねじ込まれ、同調整ボルト９の上端に上記ローラ受台７が同調整ボルト９により固定台８に沿って上下に移動自在に取付けられている。
【００２２】
上記のように構成された二重ケーシングポンプのインターナル抜き出し、組み込み装置を使用して、インターナル１３を外部ケーシング１１から抜き出すにあたっては、図１に示されるように、主軸１４の駆動機軸１９側の軸端に支持用の軸スリーブ１，２，３…を必要数連結し、主軸１４寄りの軸スリーブ１をローラ６で支持する。各軸スリーブ１，２，３は正しく同一外径に形成されている。
【００２３】
次いで調整ボルト９を操作して、軸スリーブ１，２，３…の軸心を主軸１４の軸心及び外部ケーシング１１の内周１１ａ中心に一致せしめる。
【００２４】
次に、インターナル１３の端部に、モノレール１８のフック１８ａに吊り下げられたロープ１８ｃを架け、ローラ６を案内として、インターナル１３及び軸スリーブ１，２，３が取付けられた主軸１４を、モノレール１８により図１、２の右方に移動させる。この際において、モノレール１８により吊り下げられるインターナル１３の外周の軸心が外部ケーシング１１の内周１１ａの軸心と一致し、インターナル１３を水平に保持するように、ロープ１８ｃの長さを調整する。上記インターナル１３が、図２に示されるように、外部ケーシング１１の端部近くまで抜き出され、先端の軸スリーブ３がローラ６から外れる可能性があるときには、同一外径の軸スリーブ４，５…をインターナル１３が完全に抜き出される長さまで継ぎ足す。
【００２５】
以上のようにかかる実施形態によれば、主軸１４に連結した軸スリーブ１，２，３…をローラ６で支え、調整ボルト９により同ローラ６の高さを調整するとともに、モノレール１８にて吊り下げられ、インターナル１３に架けられたロープ１８ｃの長さを調整することにより、主軸１４及びインターナル１３の軸心を外部ケーシング１１の内周１１ａの軸心と一致させて、上記インターナル１３を主軸１４とともに外部ケーシング１１から抜き出し、あるいは組み込むことができる。
【００２６】
これにより、インターナル１３の抜き出し時あるいは組み込み時に、インターナル１３と外部ケーシング１１の内周１１ａとの軸心のずれや、インターナル１３の傾きの発生が回避され、これらによる双方の異常接触によって引き起されるインターナル１３や外部ケーシング１１の損傷の発生が防止される。
【００２７】
また上記インターナル１３を外部ケーシング１１の内周１１ａに組み込む際には、上記抜き出し時と逆の手順で行えばよい。即ち、インターナル１３をモノレール１８にワイヤロープ１８ｂ、フック１８ａ及び吊り用のロープ１８ｃを介して吊り下げるとともに、主軸１４の軸端に連結した軸スリーブ１，２，３…をローラ６で支持しながら調整ボルト９により高さ調整を行なうことによって、インターナル１３及び主軸１４の軸心とケーシングの内周１１ａと軸心を一致させた後、モノレール１８を図１、２の左方に移動し、インターナル１３をケーシング１１の内周１１ａに嵌合する。
【００２８】
尚、上記実施形態においては、二重ケーシングポンプについて説明したが、本発明は筒状のケーシングの内周に、水平方向に抜き出し可能に内部部材を組み込んだ全ての機器の内部部材抜き出し、組み込みに適用できる。
【００２９】
【発明の効果】
本発明は以上のように構成されており、本発明に係る手段及び方法によれば、内部部材の中心軸に支持用軸スリーブを連結し、同軸スリーブを、上下位置を調整可能にローラで支えるとともに、内部部材の抜き出し側を吊り具にて上下動可能に吊り下げたので、従来方法よりも簡単な操作で以って内部部材の軸心とケーシング内周の中心とを確実に一致せしめることができる。
【００３０】
これにより、内部部材のケーシング内周からの抜き出し時、あるいはケーシングへの組み込み時に、内部部材とケーシング内周との間の軸心のずれや相対傾斜による異常接触の発生、及びこれによって引き起されるケーシング及び内部部材の嵌合部の損傷の発生を未然に防止することができる。
【００３１】
また、かかる抜き出し、組み込み装置は、簡単な形状の支持用軸スリーブとローラと、ローラの高さ調整手段とにより構成できるので、長尺部材や重量部材が無く、装置が簡単で製造コストも従来のものよりも著しく低廉となる。
【図面の簡単な説明】
【図１】本発明の実施形態に係る二重ケーシングポンプのインターナル抜き出し、組み込み装置のインターナル抜き出し前の状態を示す断面図。
【図２】上記実施形態におけるインターナル抜き出し中の状態を示す断面図。
【図３】従来の二重ケーシングポンプにおけるインターナル抜き出し、組み込み装置の断面図。
【符号の説明】
１，２，３，４，５  支持用軸スリーブ
６                  ローラ
７                  ローラ受台
８                  固定台
９                  調整ボルト
１１                外部ケーシング
１１ａ              外部ケーシングの内周
１３                インターナル
１４                主軸
１８                モノレール
１８ａ              フック
１８ｃ              ロープ
【図１】
0003752038.tif 000002
【図２】
0003752038.tif 000003
【図３】
0003752038.tif 000004